(57)【要約】      （修正有）【課題】仮囲いパネルに取付けられる表示装置であって、表示内容の変更が容易であり、しかも見やすい表示を高輝度で実現できる仮囲いパネル用のＬＥＤ表示装置を提供する。【解決手段】表示用角穴を設けた仮囲いパネル１と、表示用角穴２に対応した大きさ，形状を有するＬＥＤ表示画面６を前面に備えると共にＬＥＤ表示画面用の電源部を含むＬＥＤ表示制御部を内部に備えた浅底の箱状本体によるＬＥＤ表示装置Ｌｄとにより形成され、仮囲いパネルの裏面においてＬＥＤ表示画面を表示用角穴に対面させＬＥＤ表示装置を着脱自在に装着して仮囲いパネル用の表示装置にする。【選択図】図１
2018096196.tif 000002
【特許請求の範囲】
【請求項１】
表示用角穴を設けた仮囲いパネルと、前記表示用角穴に対応した大きさ，形状を有するＬＥＤ表示画面を前面に備えると共に前記ＬＥＤ表示画面用の電源部を含むＬＥＤ表示制御部を内部に備えた浅底の箱状本体によるＬＥＤ表示装置とにより形成され、前記仮囲いパネルの裏面において前記ＬＥＤ表示画面を前記表示用角穴に対面させ前記ＬＥＤ表示装置を着脱自在に装着するようにしたことを特徴とする仮囲いパネル用表示装置。
【請求項２】
表示用角穴は、1枚の仮囲いパネルに設け、該表示用角穴の形状は、左右幅が前記仮囲いパネルの左右幅に見合う左右幅を有する略正方形か、又は縦長の略長方形である請求項１に記載の仮囲いパネル用表示装置。
【請求項３】
表示用角穴は、2枚又は3枚以上の仮囲いパネルに設け、該表示用角穴の上下幅を１枚の仮囲いパネルの左右幅と略同等、又は2枚以上の仮囲いパネルによる左右幅と略同等に形成すると共に、左右幅を２枚又は3枚以上の仮囲いパネルの左右方向に延びた大きさに形成した請求項1に記載の仮囲いパネル表示装置。
【請求項４】
仮囲いパネルに設けた表示用角穴に箱状本体を介して装着するＬＥＤ表示画面は、形成された前記表示用角穴の大きさに見合う上下幅と左右幅を有するＬＥＤ表示画面を備えた箱状本体を用いる請求項2又は３に記載の仮囲いパネル用表示装置。
【請求項５】
表示用角穴の左右幅が仮囲いパネルの２枚以上に及ぶ大きさのときは、箱状本体の外周上に形成した翼状支持辺を、前記仮囲いパネルを支えている単管等の支持部材にも支持させるようにした請求項４に記載の仮囲いパネル用表示装置。
【請求項６】
箱状本体の翼状支持辺には仮設パネルの起立段部に結合するための結合用孔がダルマ孔として形成されており、仮囲いパネルの表示用角穴の裏面に形成されているパネル接合用の起立段部に立てられたネジに前記ダルマ孔を係止し、前記ネジの締結、弛緩により仮囲いパネルに前記箱状本体を固着、離脱できるようにした請求項１〜５のいずれかに記載の仮囲いパネル用表示装置。
【請求項７】
ＬＥＤ表示画面のＬＥＤには、ＲＧＢの３色素子を１パッケージの１画素とする高輝度ホワイトＬＥＤランプ、又は３色が独立したＬＥＤランプを１画素とするＬＥＤを使用した請求項１〜６のいずれかに記載の仮囲いパネル用表示装置。
【請求項８】
ＬＥＤ表示制御部は、少なくとも映像信号と制御信号を分配して出力を制御するビデオ分配器を含み複数の映像信号の供給に対する切換えスイッチ機能を備えたビデオ信号処理部と、周囲の明るさに応じてＬＥＤの輝度を自動調整するライトセンサーを含む請求項１〜７のいずれかに記載の仮囲いパネル用表示装置。
【請求項９】
ＬＥＤ表示制御部が含む電源部は、リード部コードを介して前記箱状本体の外に配置される入力用プラグと出力用コンセントを具備している請求項６に記載の仮囲いパネル用表示装置。
【請求項１０】
出入口ゲートを設けて工事区域を囲んだ仮囲いにおける仮囲いパネルが、当該仮囲いパネルの表示用角穴に装着したＬＥＤ表示画面と、該ＬＥＤ表示画面用の電源部を含むＬＥＤ表示制御部を備え、
前記ＬＥＤ表示制御部が、前記出入口ゲート，前記仮囲いパネル，前記出入口ゲートか仮囲いパネルが備える単管等による付帯設備の少なくともいずれかに配置した複数の所要センサーと、前記各センサーの検出信号を夫々に入力して処理するセンサー信号処理部を備え、前記センサー信号処理部から出力されるセンサー情報を当該ＬＥＤ表示制御部に入力し、このＬＥＤ表示制御部が前記ＬＥＤ表示画面に前記各センサの検出信号に関する情報を表示させることを特徴とする仮囲いパネル用表示装置。
【請求項１１】
請求項１０の仮囲いパネルは、少なくとも出入口ゲートの側脇の片側又は両側に配置されている請求項１０に記載の仮囲いパネル用表示装置。
【請求項１２】
複数の所要センサーは、少なくとも騒音センサー，振動センサー，出入口ゲートの開閉センサーである請求項１０又は１１に記載の仮囲いパネル用表示装置。
【請求項１３】
複数のセンサーの検出信号に関してＬＥＤ表示画面に情報が表示されるとき、前記ＬＥＤ表示制御部が備えるスピーカアンプによってスピーカを駆動し適宜の音声周波数を前記スピーカから発するようにした請求項１０〜１２のいずれかに記載の仮囲いパネル用表示装置。
【請求項１４】
センサー信号処理部で処理されたセンサーの検出信号に関する情報の一部又は全部は、ＬＥＤ表示制御部を制御するコンピュータ又は外部コンピュータに蓄積し、必要に応じて仮囲いの外部向けて発信するようにした請求項１０〜１３のいずれかに記載の仮囲いパネル用表示装置。
【発明の詳細な説明】
【技術分野】
【０００１】
本発明は、工事現場等の周囲を囲むように設置される仮囲いに使用される金属製又は合成樹脂製の仮囲いパネル（以下、単に「仮囲いパネル」という）に、当該仮囲いパネルと一体になるように装着され、当該工事現場の工事予定や週間工程表など従来からＡ型看板等で行われている一般的な工事関係表示の他に、センサーを用いてその工事現場の騒音や振動を検出して表示したり、従来の仮囲いパネルでは表示されたことのない事項の表示を可能にする仮囲いパネル用ＬＥＤ表示装置に関する。
【背景技術】
【０００２】
工事現場用の電気式表示装置としては、特許文献１〜３などによって仮囲いパネルに囲まれた工事現場の出入口近傍に、例えば立て看板状に設置する独立した表示装置や、仮囲いパネルに後付けで取付けて設置するものが知られている。
【０００３】
上記表示装置は、工事現場を取り囲んだ仮囲いの近傍では夜間における代替街灯としての利用のほか、主に工事内容等の表示、或は工事業者のＰＲ等の目的のために設けられるものである。このため、従来の表示装置は、表示内容が固定されており、表示内容を変更するには表示画面自体を入れ替える必要があり、また内照式の表示であるため夜間では照度が低く街灯代替機能も十分ではなく、表示も見にくいという問題があった。
【０００４】
特に、仮囲いパネルで囲まれた工事現場に設けられる表示装置は、表示する期間や表示する時期によっては表示内容を変更しなければならないが、上記のような表示内容の変更には手間を要する作業や操作が不可欠であるため、簡易迅速な表示変更には無理があった。
【０００５】
また、前記特許文献により公知の表示装置が仮囲いパネルに沿って複数個並べて設置される場合、個々の表示装置ごとに電源ラインが導入されているため、複数の電源ラインが足元で絡み合って歩行に支障をきたす等の問題がある。各仮囲いパネルの表示装置の電源ラインの配置や該電源ラインの接続については合理的な電源の導入形態や接続形態を採用した仮囲いパネルは未だ見られない。
【０００６】
一方、昨今の建設工事等の現場では、環境保全や安全面等の観点から騒音や振動を出来るだけ抑制する施策が採られているものの、実際には種々の建設重機や土木重機が稼動されるため相当の騒音や振動の発生は避けられないのが現実であるが、実際の騒音や振動がどの程度のものかは別定の測定機器を用いないと判らず、結果的に近隣や周囲に迷惑をかけたり、現場作業員に苦痛を与えてしまうことがままあった。しかし、工事に伴う実際の騒音や振動がリアルタイムで判れば、騒音や振動の不都合な事態発生に即時対応が可能になる。
【先行技術文献】
【特許文献】
【０００７】
【特許文献１】特開平１０−１０２７８７号
【特許文献２】特開  ２００５−３３６９６２号
【特許文献３】特開  ２００７−２９１６２８号
【発明の概要】
【発明が解決しようとする課題】
【０００８】
本発明は、上述した仮囲いパネルに当該パネルと一体化して取付けられる表示装置であって、表示内容の変更が容易であると共に見やすい表示を高輝度で実現できる仮囲いパネル用のＬＥＤ表示装置を提供することを第一の課題とし、前記仮囲いパネルを用いて囲った工事現場の騒音や振動をリアルタイムで検出してその表示をし、或は仮囲いに設けた出入口ゲートの開閉状態に関する情報の表示をするようにした仮囲いパネル用の表示装置を提供することを第二の課題とする。
【課題を解決するための手段】
【０００９】
上記第一の課題を解決することを目的としてなされた本発明表示装置の第一の構成は、表示用角穴を設けた仮囲いパネルと、前記表示用角穴に対応した大きさ，形状を有するＬＥＤ表示画面を前面に備えると共に前記ＬＥＤ表示画面用の電源部を含むＬＥＤ表示制御部を内部に備えた浅底の箱状本体によるＬＥＤ表示装置とにより形成され、前記仮囲いパネルの裏面において前記ＬＥＤ表示画面を前記表示用角穴に対面させ前記ＬＥＤ表示装置を着脱自在に装着するようにしたことを特徴とする。
前記電源部は、該電源部に接続されたリード部コードを介して前記箱状本体の外に設けられた入力用プラグと出力用コンセントとを具備しているものもある。
【００１０】
本発明において前記ＬＥＤには、ＲＧＢの３色素子を１画素の１パッケージとする高輝度ホワイトＬＥＤを用いているが、３色が独立した３個のＬＥＤランプを１画素とするＬＥＤを使用したものでもよい。
また、前記ＬＥＤ表示制御部は、少なくとも映像信号と制御信号を分配しＤＶＩリンクでの出力を制御するビデオ信号分配部を含むが、これに加え前記映像信号が複数のＰＣ等から供給される場合には少なくともその切換えスイッチ機能を備えたビデオ処理部と、周囲の明るさに応じて前記ＬＥＤの輝度を自動調整するライトセンサーを含むことがある。
【００１１】
仮囲いパネルに設ける表示用角穴の設置形態は、仮囲いパネル1枚についてはパネルの略左右幅と同等左右幅を有する略正方形の角穴形態、或は前記角穴の上下方向を前記左右幅の例えば約2倍〜3倍にした縦長の略長方形の形態がある。
更には、2枚以上の仮囲いパネルの左右方向に延びる横長略長方形の角穴形態とすることもある。
上記の各角穴形態に対しては、前記箱状本体とＬＥＤ表示画面の大きさ、形状を設置される表示用角穴に合わせたものを用いる。
【００１２】
本発明において、前記箱状本体が備える翼状支持辺は、箱状本体の左右側又は上下側若しくは全外周に設けることができる。仮囲いパネルに設ける表示用角穴が前記パネル左右幅と略同等の略正方形の場合や縦長の略長方形の場合には、左右側に設けることが望ましい。これは仮囲いパネルの左右側が備えるパネル接続用の起立段部に前記翼状支持辺を対応させて結合するためである。前記翼状支持辺には前記起立段部に結合するための結合用孔がダルマ孔として形成されている。箱状本体の左右側の翼状支持辺にダルマ孔を設けたときは、仮囲いパネルの開口部の裏面に形成されているパネル接合用の起立段部に立てたネジに前記ダルマ孔を係止し、前記ネジの締結により仮囲いパネルに前記箱状本体を固着できるようにしている。
本発明において、表示用角穴が少なくとも2枚以上の仮囲いパネルの左右幅に及ぶ幅広の表示用角穴等の大型の表示用角穴の場合、用いる箱状本体と表示画面も前記大型の表示用角穴に見合う大きさ、形状のものを用い、この場合の箱状本体の取付は、パネル接続用の起立段部の他に仮囲いパネルを支持するために設置された単管等の支持部材に担持させることもある。
【００１３】
次に、上記第二の課題を解決することを目的としてなされた本発明表示装置の第二の構成は、  出入口ゲートを設けて工事区域を囲んだ仮囲いにおける一部の仮囲いパネルが、当該仮囲いパネルの表示用角穴に装着したＬＥＤ表示画面と、該ＬＥＤ表示画面用の電源部を含むＬＥＤ表示制御部を備え、前記ＬＥＤ表示制御部が、前記出入口ゲート，前記仮囲いパネル，前記出入口ゲートか仮囲いパネルが備える単管等による支持構造の少なくともいずれかに配置した複数の所要センサーと、前記各センサーの検出信号を夫々に入力して処理するセンサー信号処理部を備え、前記センサー信号処理部から出力されるセンサー情報を当該ＬＥＤ表示制御部に入力し、このＬＥＤ表示制御部が前記ＬＥＤ表示画面に前記各センサーが検出する情報に関する表示をさせることを特徴とする。
【００１４】
上記仮囲いパネルは、少なくとも出入口ゲートの側脇の片側又は両側に配置されていれば足りるが、前記仮囲いパネルは、出入口ゲートの側脇に設置されたものに限られるものではない。
【００１５】
本発明において、複数の所要センサーとは、少なくとも騒音センサー，振動センサー，出入口ゲートの開閉センサーである。本発明に用いるセンサーには前記センサー以外のセンサーを用いることができる。例えば、出入口ゲートの地面（床）に設ける重量センサー、出入口ゲートに設ける車輌センサー、出入口ゲートや仮囲いパネルや仮囲い支持枠等の付帯設備に設ける温度センサー、湿度センサー、粉塵センサーなどがある。
【００１６】
本発明においては、前記複数のセンサーが検出する情報に関してＬＥＤ表示画面が表示されるとき、前記ＬＥＤ表示制御部が備えるスピーカアンプによってスピーカを駆動し適宜の音声周波数を前記スピーカから発するようにすることができる。スピーカから発される音声には、出入口ゲートが開くとき又は閉じるときその旨のガイド音声、車両が構内から外部に出るときのガイド音声などがある。また、騒音や振動、或は温度等が所定の基準値を超えたときの警報音などもある。このようにして仮囲いの周辺、その出入口ゲート付近や仮囲い近傍を歩行する住人や現場作業員の安全確保や環境保全に寄与することができる。
【００１７】
本発明では、前記センサー信号処理部で処理されたセンサーが検出する情報に関するデータの一部又は全部を、ＬＥＤ表示制御部を制御するコンピュータの記憶部に蓄積し、必要に応じて外部に発信することがある。このようにして現場環境に関する情報を、その現場、或は外部において監視し管理することができる。
【発明の効果】
【００１８】
本発明では、仮囲いパネルと、該仮囲いパネルに設けた表示用角穴と、前面側を額縁状に開口し前記表示用角穴に装着する浅底の箱状本体と、前記表示用角穴に対応した大きさ，形状の正面形状を備え前記額縁状開口において前記箱状本体に装着されたＬＥＤ表示画面と、前記箱状本体の内部に設けた前記ＬＥＤ表示画面用の電源部を含むＬＥＤ表示制御部とを備えて仮囲いパネル用表示装置を形成したから、表示内容を自由に選択して高輝度フルカラーのＬＥＤ表示画面に自在に表示させることができ、高輝度表示ゆえに夜間においては十分な街灯代替機能を発揮できるという、従来の表示装置ではなし得なかった表示態様を実現することができる。
特に、２枚又はそれ以上の仮囲いパネルに通して設けた表示用角穴にＬＥＤ表示装置を装着したものでは、表示画面が大きいので表示内容が見やすく、広い面積での高輝度表示が街灯では及ばない明るい道路照明を実現できる。
【００１９】
さらに本発明では、仮囲いパネルのＬＥＤ表示画面が有するＬＥＤ表示制御部が、前記出入口ゲート，前記仮囲いパネル，前記出入口ゲートか仮囲いパネルが備える単管等による支持構造の少なくともいずれかに配置した複数の所要センサーと、前記各センサーの検出信号を夫々に入力して処理するセンサー信号処理部を備え、前記センサー信号処理部から出力されるセンサー情報を当該ＬＥＤ表示制御部に入力し、このＬＥＤ表示制御部が前記ＬＥＤ表示画面に前記各センサーが検出する情報に関する表示をさせるようにしたから、出入口ゲートの開閉状態から当該現場の工事中の騒音や振動などの現場環境の状況までを、前記表示画面に表示できるから、工事現場と周辺を安全面、環境面から好ましい方向にリードすることができる。
【図面の簡単な説明】
【００２０】
【図１】本発明表示装置を備えた仮囲いパネルの一例の正面側斜視図。
【図２】図１の本発明表示装置の裏面側斜視図。
【図３】図１の本発明表示装置の仮囲いパネルにおける正面図。
【図４】図３の本発明表示装置の仮囲いパネルにおける背面図。
【図５】図３の本発明表示装置の仮囲いパネルにおける右側面図。
【図６】図３の本発明表示装置の平面図。
【図７】本発明表示装置を仮囲いパネルに装着した状態の拡大平断面図。
【図８】ＬＥＤ表示画面を有する仮囲いパネルと出入口ゲートを備えた現場仮囲いにおいて本発明の実施態様を説明するための模式的斜視図。
【発明を実施するための形態】
【００２１】
図１〜図７において、１は、平面視した左右両側部にパネル同士の接合用の起立段部１ａ，１ｂが曲げ形成された標準的仕様の仮囲いパネルであり、この仮囲いパネルは、鋼板製又はプラスチック製のいずれかである。平面から見た前記パネル１の左右方向において前記起立段部１ａ，１ｂで互に密着接合された状態で立設される隣接する複数枚の仮設パネル１により形成される仮囲いＷは、その仮囲いＷの背面に当接して縦横に配置される単管等による支持部材や支持枠体（図示せず）によって立設姿勢が保持されている。
【００２２】
２は、１枚の仮囲いパネル１の上半側に透設された、後述する本発明のＬＥＤ表示装置ＬｄのＬＥＤ表示画面６（以下、単に「表示画面６」ともいう。）を露出させるための表示用角穴で、該表示用角穴２の左右側辺に対応した部位に存在する当該パネル１の起立段部１ａ，１ｂの折返した折返し裏面３ａ，３ｂ（仮囲いパネル１の正面と平行な面）には、表示装置Ｌｄをその左右の翼状支持辺５ｂ，５ｃにおいて係止するためのナット４ａを備えた４本のネジ杆４が立設されている。
【００２３】
図１〜図７に例示した本発明の表示装置Ｌｄの一例は、次の構成を備えたものである。
図７は、仮囲いパネル1に表示装置Ｌｄを装着した状態の拡大平断面図である。図７において、５は前面側を額縁状に開口した前面開口部５ａを有する浅底の箱状本体で、図示した例の箱状本体５は、左右側部に、略帯状の翼状支持辺５ｂ，５ｃを備え、かつ、箱状本体５の底に当たる裏面開口部５ｄに対して図７の例では４枚の裏蓋５ｅがビス５ｆにより着脱自在に設けられている。
【００２４】
図７に示した箱状本体５は、額縁状開口５ａを有する前面側箱状部材５１と、該前面側箱状部材５１に被せられた形態を有し且つ前記翼状支持辺５ｂ，５ｃと、裏面開口部５ｄに裏蓋５ｅを備える後面側箱状部材５２とを備える２ピースタイプの箱体であるが、箱状本体５は上記２ピースタイプの箱体に限られるものではない。また２ピースタイプの箱状本体５では裏蓋５ｅを設けないタイプもある。なお、５ｈは、箱状本体５における前面側箱状部材５１と後面側箱状部材５２を、両箱状部材５１，５２の側面壁部で結合するためのピン等による結合部材である。
【００２５】
図７における前記翼状支持辺５ｂ，５ｃには、前記仮設パネル１の起立段部１ａ，１ｂの折返し裏面３ａ，３ｂに設けた４本のネジ杆４に嵌まる４個のダルマ孔５ｇが当該支持辺５ｂ，５ｃの上部と下部に設けられている（図２，図４参照）。だるま孔５ｇがネジ杆４に係合されると、前記ネジ杆４とナット４ａの緊締、弛緩により表示装置Ｌｄを容易に仮囲いパネル１の表示用角穴２に対して強固に固定すること、及び迅速に着脱することができる。
【００２６】
６は、前記箱状本体５の額縁状開口５ａに対して表示面を配置するＬＥＤランプを用いたＬＥＤ表示画面で、この表示画面６は、一例としてＲＧＢ３色のＬＥＤ素子を１つのランプにパッケージしてフルカラーの画素としたＬＥＤランプの多数個を画面いっぱいに配列し形成されている。前記画素としてはＲＧＢの３色個々の３つのＬＥＤランプとそれを点灯させる回路基板を一体にしたＬＥＤモジュールを画面いっぱいに組み込んだタイプのものであってもよい。１個のＬＥＤモジュールは、例えば赤２個、緑２個、青１個のＬＥＤ素子から成る画素の１６個を縦×横で２５６個を並べて構成したものである。前記表示画面６のＬＥＤランプの前面側には、例えば紫外線からの防護や不測の外力からの防護のため、紫外線カット機能を有する透明又は半透明のポリカーボネイト板による防護板６ａが配置されている。６ｂは表示画面６の筐体である。
【００２７】
前記表示画面６には、制御用コンピュータ（ＰＣ）、映像機器、ＵＳＢメモリ（いずれも図示せず）等の表示信号供給部から入力される複数の表示信号を切り替えるスイッチ機能や入力した表示信号を表示画面６への最適信号に変換制御するスケーリング機能を備えたビデオ信号処理部７と、該ビデオ信号処理部７からの映像信号と制御信号を分配して表示画面６を駆動するＬＥＤ信号制御部とＬＥＤ駆動部を含む信号分配制御部８が、ＬＥＤ表示制御部として前記箱状本体５の内部に備えられている。なお、ＬＥＤ表示制御部は映像信号が１台のコンピュータ（ＰＣ）から入力するシステムではビデオ信号処理部７は無くてもよく信号分配制御部８があれば足りる。また、前記信号分配制御部８と表示画面６の間には、周囲の明るさに応じて当該表示画面６の発光輝度を前記信号分配制御部８に自動調整させるためのライトセンサー（図示せず）を配置することがある。
【００２８】
上記表示画面６は、ＰＣや映像機器等の表示信号供給部から供給される静止画や動画、或は文字列等の入力信号が前記ＬＥＤ表示制御部に入力されればそれらを自在に表示できるから、工事企業の名称や商標等、或は工程表等の工事関連情報の表示は勿論のこと、周囲の環境にマッチした動画や静止画等、或は工事地区の広報事項等を文字や映像などの動画や静止画で表示することができる。
【００２９】
この表示の際、仮囲いＷに設けた後述するスピーカ１８から表示内容に関する音声を出すこともできる。音声をスピーカ１８から出すには表示信号供給部からの表示信号に音声信号を乗せて出力し、この信号を入力したＬＥＤ表示制御部が備える音声信号処理部（プリアンプ、パワーアンプ等）で前記音声信号を処理してスピーカ１８の駆動信号とすればよい。
【００３０】
上記表示画面６において、図１〜図７に示した画面の大きさ，形状は、仮囲いパネル１の１枚の左右幅の大きさより少し小さめ左右幅と上下幅を有する略正方形の例であった。これは表示用角穴２の形成に当たり当該パネル１の左右側において裏面に折曲げ形成された段部１ａ，１ｂと箱状本体５の左右幅との干渉を回避するためである。
従って、箱状本体５の厚みが前記段部１ａ，１ｂと干渉がなければ表示用角穴２、つまり表示画面６の大きさは、仮囲いパネル１の正面幅と略同等に形成できる。
【００３１】
本発明においては、前記表示画面６の大きさを、一例として仮囲いパネル１の２枚分の左右幅と略同じ左右幅と上下幅を有する表示画面６１（図８参照）もある。本発明で前記より大きな左右幅や上下幅を有する表示画面６に形成することもできる。また表示画面６には、図１〜図７の表示画面６の左右幅と同じで上下幅（高さ）を大きくした表示画面６２もある（図８参照）。本発明において表示画面６の大きさをどの程度に形成するかは任意であるが、大きさの基準は仮囲いパネル１の左右幅である。なお、表示画面６が大きくなると、該表示画面６を前面開口部５ａに当てがう箱状本体５もそれに見合う大きさのものとなる。即ち、表示画面６を大きくすると、仮囲いＷ（複数枚を密接させて立設した仮設パネル１）に形成する表示用角穴２と箱状本体５も大きく形成して、大きな表示画面６に見合った大きさの表示装置Ｌｄを形成する。
【００３２】
ここで、表示装置Ｌｄの表示画面６が図１〜図７示した実施例の表示画面６より縦方向に伸びた大きさの表示画面６１、６２である場合、翼状支持辺５ｂ，５ｃのダルマ孔５ｇやネジ杆４の配置数も大きくなった縦方向の長さ相応して増やす。
また前記表示装置Ｌｄが、図１〜図７の実施例に比べ横方向、又は縦横方向に拡大された大きさのもの、例えば図８の表示画面６１，６２であるときは、２枚以上の仮設パネル１に亘って形成される表示用角穴２に装着される表示装置Ｌｄの支持は、仮囲いＷを支持するために設置されている単管（図示せず）に、表示装置Ｌｄの箱状本体５の外周に形成した翼状支持辺を結合させて支持させる。前記表示装置Ｌｄの横方向での支持は、前記単管によらず並んだ仮設パネル１の起立段部１ａ，１ｂに横架した横桟部材（図示せず）に、箱状本体５の上下辺に設けた翼状支持辺を、前記横桟部材と翼状支持辺に配置する孔とネジ杆によって結合支持することもできる。
【００３３】
以上の説明は、本発明表示装置Ｌｄの使用形態の一例についてであって、本発明表示装置Ｌｄは、図８によって以下に説明する構成を備えていることにより工事現場における上記例以外の表示を行うことができる。ここでの表示には視覚で把握する表示のほか聴覚で把握する表示もある。
【００３４】
図８は、本発明表示装置Ｌｄを備えた仮囲いパネル１と他の仮囲いパネル１を用いてで囲んだ現場仮囲いWである。図８に示した仮囲いWには、建設機械や車両や作業員等の出入用に出入口ゲート１０が設けられている。この出入口ゲート１０は、左右の門扉１１，１２が両者の突合せ部において夫々に屏風折りで左右方向に移動して開閉するタイプの扉を備えているが、ゲートに設置される扉の形状、構造は他のタイプのものでもよい。
【００３５】
本発明では、上記仮囲いWにおける適宜の部位にある仮囲いパネル１や該パネルを支持した単管などによる支持枠等の付帯設備の部材に振動センサー１３と騒音センサー１４を設けて、仮囲いWの内側の工事現場における工事振動や工事騒音を検出し、検出した振動や騒音を仮囲いパネル１の表示画面６に表示できるようにしている。
検出される現場の振動や騒音を仮囲いＷに備わる表示画面６，６１，６２に表示することにより、工事現場近隣の住人等にこの現場が法令等を遵守した工事業態であるのか否か等を報知して工事業者の法令順守、環境保全に対する姿勢や取組みが外部から分かるようにするためである。
【００３６】
前記振動センサー１３や騒音センサー１４で検出される振動や騒音は、LED表示制御部が備えるセンサー信号処理部（図示せず）に供給され、振動表示信号や騒音表示信号に変換され、仮囲いパネル１が備えたLED表示画面６に、現在の仮囲いWの中で実際に発生している工事振動や工事騒音として表示される。
【００３７】
前記振動センサー１３や騒音センサー１４に検出される当該現場での振動や騒音が、仮にも法令等により規制されている数値を超えている場合には、検出値がセンサー信号処理部に設定した規制値と比較されて規制値超えしているか否かが判別され、規制値を超えている場合には表示画面６にその旨の表示をする。その旨の表示は、例えば表示数値を点減させたり、他の表示色とは異なる色で表示するなどがある。また後述するスピーカ１８から基準値超えの事実を音声周波で発するようにしてもよい。
【００３８】
また、前記ゲート１０の門扉１１，１２の閉じ終端（両門扉１１，１２の突き合せ部）と、両門扉の開終端（開いた門扉の構成部材と門柱の近接）には、夫々の状態を機械-電気式、光ー電気式、磁気ー電気式等の検出方式で検出する前記門扉１１と１２の開閉を検知する開センサー１５と閉センサー１６を設けている。
【００３９】
前記開センサー１５と閉センサー１６からの信号は、先に述べたLED表示制御部が、備えるセンサー信号処理部に供給されて、ゲート開き表示信号又はゲート閉じ表示信号に変換され出入口ゲート１０脇の仮囲いパネル１が備えたLED表示画面６，６１，６２の少なくとも一つに「ゲートが開きます」、或いは「ゲートが閉じます」の文字表示をする。門扉１１，１２の開閉信号に音声信号がセットされていればスピーカ１８から表示画面６の表示内容と同じ内容で音声が発される。
本発明では、前記ゲート１０の上梁１０ａに車両検出センサー１７を設け、例えばダンプトラック等の作業用車両等の車両が、仮囲いWに囲まれた構内から外部へ出るとき、或いは外部から構内に入るとき、その車両を検出してスピーカ１８から、その旨の報知音声を出すようにしてもよい。
【００４０】
本発明では、上記の各センサー１３〜１７の他に、温度センサーは湿度センサー、或は粉塵センサー等のセンサーを仮囲いパネル１又はその付帯設備の単管等に設けて仮囲いＷに囲まれた工事現場の温度、湿度、粉塵等をＬＥＤ表示装置Ｌｄの表示画面６に表示させてもよい。
本発明において上記各センサーから得られる検出データは、前記表示と平行して時系列上に並べてコンピュータに格納貯蔵し、必要に応じて工事管理センターのような管理監督部門に格納貯蔵するデータを発信供給することができる。
このようにすれば時々刻々と状況の変化がある建設工事現場の様々な状況を外部でリアルタイムで把握し監視管理できるから、工事現場を環境面、安全面で適切に管理運用する上で大きく貢献できる。
【００４１】
以上に説明した本発明の表示装置Ｌｄは、図７に例示したものでは、箱状本体５の内部に、ＬＥＤランプによる表示画面６、ビデオ信号処理部７、信号分配制御部８、及び配置されていればライトセンサーに作動電力を供給、遮断する電源部９を備えたＬＥＤ表示制御部と、前記電源部９に接続されて外部の商用電源等の電力を供給するためのリード部コード９ａ付きの入力用プラグ９ｂ、又は前記プラグ９ｂと出力用コンセント９ｃとが、当該箱状本体５の外部に配置されている。
【００４２】
本発明のLED表示装置Ldでは、表示画面６が備えるビデオ信号処理部７と信号分配制御部８を含むLED表示制御部の前記ビデオ信号処理部７に、外部コンピュータでインストールした表示画面用の表示プログラムをUSBメモリに転送して供給することにより、前記表示プログラムの内容を表示画面６に表示させることができる。複数のUSBメモリに、外部PC経由で転送する表示画面用の複数種類の表示プログラムを、複数の仮囲いパネル１の夫々のLED表示装置Ldごとに用意しておけば、特定の仮囲いパネル１の表示画面６において表示させたい表示内容を直ちに当該表示画面６に表示させることができる。各表示画面６の表示内容を変更したいときも、夫々の表示画面６が備える各ＬＥＤ表示制御部に挿し込むUSBメモリを変えてやれば、表示内容の変更に容易且つ迅速に対応することができる。
【００４３】
本発明では前記ＵＳＢメモリのほかに、現場のＰＣ等からＬＥＤ表示制御部を通して表示画面６に選択的に供給できる映像信号等の表示信号によって、ＲＧＢのＬＥＤランプを画素にした前記画面６に、文字や映像を含む静止画や動画等を前記ＰＣ等により任意に選択しつつ制御して表示させることができるから、前記表示画面６の表示内容の設定・選択・切換えを手元のＰＣ等で自在に実行できる。
【００４４】
本発明表示装置Ｌｄは、上記のように仮囲いパネル１に設けた表示用角穴２に、表示画面６を対面させて架装される当該表示画面６を備えた箱状本体５を後付態様で取付けたものである。そして前記箱状本体５の電源部９に接続されている入力用プラグ９ｂと出力用コンセント９ｃを前記箱状本体５の外部に設けたから、複数枚の仮囲いパネル１が列接された仮囲いＷに複数個の表示装置Ｌｄを列設したとき、各表示装置Ｌｄの駆動用電力を、並んだ各表示装置Ｌｄの間で、両端に連結用プラグとコンセントを備えた延長ケーブル（図示せず）を介して、又は延長ケーブルを介在させないで、直列接続することができる。
【００４５】
電源部の上記接続形態が採れることにより、仮囲いＷの中の適宜位置の複数の仮囲いパネル１に設けた複数個のＬＥＤ表示装置Ｌｄに対する電源ラインをスマートに設定することができる。なお、工事現場等には、通常、１００Ｖの現場コンセントが設置されるが、本発明では、現場コンセントが１個あれば、上記電源ラインの接続形態で仮囲いＷに設けた複数台の表示装置Ｌｄに必要な電力を供給することができる。
【００４６】
また、本発明のＬＥＤ表示装置Ｌｄでは、表示画面６を前面に有する箱状本体５において上面天壁の前端縁と左右の側壁の前端縁よりも前記表示画面６の防護板６ａが後方に存在するように位置付けること、或は前記天壁と左右両側壁との前縁を表示画面６の前面から鍔状に突出させて形成することにより、表示画面６の前面側上方、或は側面側上方から雨水等が降り注いでも、表示画面６の内部に雨水が浸入し難いか、浸入できないので、屋外に設置するいわゆる全天候型の表示装置Ｌｄとして有用である。
【００４７】
一方、本発明のＬＥＤ表示装置Ｌｄでは、高輝度のＬＥＤランプを主体とする表示画面６が用いられているから、夜間の表示においては十分な照度の表示画面６が、仮囲いＷの周辺に対する夜間街灯を兼用することができる。
【符号の説明】
【００４８】
Ｗ    仮囲い
１    仮囲いパネル
１ａ，１ｂ  起立段部
２    角穴
３ａ，３ｂ  折返し裏面
４    係止用のネジ杆
４ａ  ネジ杆のナット
Ｌｄ  本発明表示装置
５    箱状本体
５１  前面側箱状部材
５２  後面側箱状部材
５ａ  前面開口部
５ｂ，５ｃ  翼状支持辺
５ｄ  後面開口部
５ｅ  裏蓋
５ｆ  ビス
５ｇ  だるま孔
５ｈ  前，後面部材５１，５２の結合部材
６，６１，６２    表示画面
６ａ  防護板
６ｂ  表示画面の筐体
７    ビデオ信号処理器
８    信号分配制御器
９    電源部
９ａ    リード部コード
９ｂ  連結用プラグ
９ｃ  連結用コンセント
１０  出入口ゲート
１１，１２  門扉
１３  振動センサー
１４  騒音センサー
１５  閉センサー
１６  開センサー  
１７  車両センサー
１８  スピーカ
【図１】
2018096196.tif 000003
【図２】
2018096196.tif 000004
【図３】
2018096196.tif 000005
【図４】
2018096196.tif 000006
【図５】
2018096196.tif 000007
【図６】
2018096196.tif 000008
【図７】
2018096196.tif 000009
【図８】
2018096196.tif 000010